(57)【要約】      （修正有）【課題】空気清浄ユニットのメンテナンス作業を容易に行うことができる遊技用装置を提供する。【解決手段】引出位置において遊技用装置において対応する遊技機と反対側にある分煙ボード６００が邪魔になってメンテナンス部品３２５、３２６、３２４のメンテナンス作業ができない場合でも、引出部３１０が引出位置にあるときに解除操作部３５３ｅを操作して規制部材を非規制状態から規制状態とすることで引出部３１０が案内レール３８０ａから抜脱できる。【選択図】図９
2014073256.tif 000002
【特許請求の範囲】
【請求項１】
遊技機に対応して設けられ、吸引口から吸引した空気を清浄化して送出口から送出する空気清浄ユニットを備える遊技用装置であって、
本体部と、
前記空気清浄ユニットを有し、前記本体部内に収納される収納位置と該収納位置から引き出された引出位置との間で、前記本体部に設けられた案内レールにより移動可能に設けられた引出部と、
を備え、
前記引出部は、前面に前記送出口が設けられるとともに、対応する遊技機と反対側の側面に前記吸引口及びメンテナンスが必要なメンテナンス部品が設けられ、前記引出部が前記引出位置にあるときに前記吸引口及び前記メンテナンス部品が前記本体部の外部に臨むように構成され、
前記引出位置において前記引出部の前記案内レールからの抜脱を規制する規制状態と該規制状態が解除される非規制状態とに変化可能な規制部材と、
前記規制部材を前記非規制状態から前記規制状態とする際に操作される解除操作部と、
をさらに備え、
前記引出部が前記引出位置にあるときに前記解除操作部を操作して前記規制部材を前記非規制状態から前記規制状態とすることで、前記引出部が前記案内レールから抜脱可能となる、
ことを特徴とする遊技用装置。
【請求項２】
遊技機に対応して設けられ、吸引口から吸引した空気を清浄化して送出口から送出する空気清浄ユニットを備える遊技用装置であって、
本体部と、
前記空気清浄ユニットを有し、前記本体部内に収納される収納位置と該収納位置から引き出された引出位置との間で、前記本体部に設けられた案内レールにより移動可能に設けられた引出部と、
を備え、
前記引出部は、前面に前記送出口が設けられるとともに、対応する遊技機と反対側の側面に前記吸引口及びメンテナンスが必要なメンテナンス部品が設けられ、前記引出部が前記引出位置にあるときに前記吸引口及び前記メンテナンス部品が前記本体部の外部に臨むように構成され、
前記引出部を、前記引出位置において、該引出位置と前記案内レールに対し交差する方向を向く回動位置との間で回動可能に支持する回動支持手段をさらに備える、
ことを特徴とする遊技用装置。
【請求項３】
遊技機に対応して設けられ、吸引口から吸引した空気を清浄化して送出口から送出する空気清浄ユニットを備える遊技用装置であって、
本体部と、
前記空気清浄ユニットを有し、前記本体部内に収納される収納位置と該収納位置から引き出された引出位置との間で、前記本体部に設けられた案内レールにより移動可能に設けられた引出部と、
を備え、
前記引出部は、前面に前記送出口が設けられるとともに、対応する遊技機と反対側の側面に前記吸引口及びメンテナンスが必要なメンテナンス部品が設けられ、前記引出部が前記引出位置にあるときに前記吸引口及び前記メンテナンス部品が前記本体部の外部に臨むように構成され、
少なくとも前記メンテナンス部品は、前記引出部に対して前記対応する遊技機側に取り外し可能に設けられている、
ことを特徴とする遊技用装置。
【請求項４】
遊技機に対応して設けられ、吸引口から吸引した空気を清浄化して送出口から送出する空気清浄ユニットを備える遊技用装置であって、
本体部と、
前記空気清浄ユニットを有し、前記本体部内に収納される収納位置と該収納位置から引き出された引出位置との間で、前記本体部に設けられた案内レールにより移動可能に設けられた引出部と、
を備え、
前記引出部は、
前面に前記送出口が設けられるとともに、対応する遊技機と反対側の側面に前記吸引口及びメンテナンスが必要なメンテナンス部品が設けられ、前記引出部が前記引出位置にあるときに前記吸引口及び前記メンテナンス部品が前記本体部の外部に臨むように構成され、
少なくとも前記メンテナンス部品を、前記引出位置において前記案内レールに対し略平行をなす装着位置と前記案内レールに対し交差する方向を向くメンテナンス位置との間で回動可能に支持する部品用回動支持手段を備える、
ことを特徴とする遊技用装置。
【発明の詳細な説明】
【技術分野】
【０００１】
本発明は、遊技機に対応して設けられ、吸引口から吸引した空気を清浄化して送出口から送出する空気清浄ユニットを備える遊技用装置に関する。
【背景技術】
【０００２】
複数の遊技機が設置された遊技機設置島において、煙草の煙、塵埃、雑菌等空気中に含まれる汚染物質を除去する空気清浄ユニットが、遊技機と該遊技機に隣接する遊技機との間に設けられる台間機に設けられたものがあった（例えば、特許文献１参照）。
【０００３】
一方、遊技機設置島に設置された各遊技機間に該遊技機の前方に突出する分煙ボードを配設し、隣接する遊技機からの煙草の煙の流入を防止しうるようにしたものがあった（例えば、特許文献２参照）。
【先行技術文献】
【特許文献】
【０００４】
【特許文献１】特開２０１１−１８２９０９号公報
【特許文献２】特開２０１２−１１１４０号公報
【発明の概要】
【発明が解決しようとする課題】
【０００５】
上記特許文献１に記載の空気清浄ユニットでは、空気を吸引するブロアやこのブロアの吸引口を覆うフィルタが汚れるなどして清掃や交換等メンテナンス作業等が必要となる。そこで、例えば、このような空気清浄ユニットを台間機の本体から手前側に引出し可能とし、引き出した状態でブロアや吸引口のメンテナンス作業等を可能とすることが考えられる。
【０００６】
しかし、上記特許文献２に記載の分煙ボードが上記台間機に隣接して配設されている場合などにあっては、上記空気清浄ユニットを台間機の手前側に引き出したときに吸引口が分煙ボードに近接してしまうため、メンテナンス作業が困難またはできなくなるという問題があった。
【０００７】
本発明は、このような問題点に着目してなされたもので、空気清浄ユニットのメンテナンス作業を容易に行うことができる遊技用装置を提供することを目的とする。
【課題を解決するための手段】
【０００８】
前記課題を解決するために、本発明の請求項１に記載の遊技用装置は、
遊技機（例えば、パチンコ遊技機１）に対応して設けられ、吸引口（吸引口３２５）から吸引した空気を清浄化して送出口（送出口３１５）から送出する空気清浄ユニット（空気清浄ユニット３２０）を備える遊技用装置（例えば、ユーティリティーユニット３００）であって、
本体部（本体枠３０１）と、
前記空気清浄ユニットを有し、前記本体部内に収納される収納位置（図２中実線位置参照）と該収納位置から引き出された引出位置（図２中１点鎖線位置参照）との間で、前記本体部に設けられた案内レール（案内レール３８０ａ〜３８０ｄ）により移動可能に設けられた引出部（引出部３１０）と、
を備え、
前記引出部は、前面に前記送出口が設けられるとともに、対応する遊技機と反対側の側面（左側面）に前記吸引口及びメンテナンスが必要なメンテナンス部品（例えば、ブロア３２２、吸引口３２５、フィルタ３２６、イオン発生機３２４など）が設けられ、前記引出部が前記引出位置にあるときに前記吸引口及び前記メンテナンス部品が前記本体部の外部に臨むように構成され（図９参照）、
前記引出位置において前記引出部の前記案内レールからの抜脱を規制する規制状態と該規制状態が解除される非規制状態とに変化可能な規制部材（規制部材３５３）と、
前記規制部材を前記非規制状態から前記規制状態とする際に操作される解除操作部（解除操作片３５３ｅ）と、
をさらに備え、
前記引出部が前記引出位置にあるときに前記解除操作部を操作して前記規制部材を前記非規制状態から前記規制状態とすることで、前記引出部が前記案内レールから抜脱可能となる（図８及び図９参照）、
ことを特徴としている。
この特徴によれば、引出位置において当該遊技用装置において対応する遊技機と反対側に遊技者側に突出して設けられる分煙ボードや表示装置などの突出物が邪魔になってメンテナンス部品のメンテナンス作業が困難またはできない場合でも、解除操作部を操作して規制部材を非規制状態から規制状態とすることで、引出部を案内レールから抜脱できるようになり、これによりメンテナンス部品を突出物から離すことができるため、メンテナンス部品のメンテナンス作業を容易に行うことができる。
【０００９】
本発明の請求項２に記載の遊技用装置は、
遊技機（例えば、パチンコ遊技機１）に対応して設けられ、吸引口（吸引口３２５）から吸引した空気を清浄化して送出口（送出口３１５）から送出する空気清浄ユニット（空気清浄ユニット３２０）を備える遊技用装置（例えば、ユーティリティーユニット１３００）であって、
本体部（本体枠３０１）と、
前記空気清浄ユニットを有し、前記本体部内に収納される収納位置（図１０（Ｂ）参照）と該収納位置から引き出された引出位置（図１０（Ａ）（Ｃ）参照）との間で、前記本体部に設けられた案内レール（第１案内溝１３８０ａ、第２案内溝１３８０ｂ）により移動可能に設けられた引出部（引出部１３１０）と、
を備え、
前記引出部は、前面に前記送出口が設けられるとともに、対応する遊技機と反対側の側面（左側面）に前記吸引口及びメンテナンスが必要なメンテナンス部品（例えば、ブロア３２２、吸引口３２５、フィルタ３２６、イオン発生機３２４など）が設けられ、前記引出部が前記引出位置にあるときに前記吸引口及び前記メンテナンス部品が前記本体部の外部に臨むように構成され、
前記引出部を、前記引出位置において、該引出位置と前記案内レールに対し交差する方向を向く回動位置との間で回動可能に支持する回動支持手段（第１案内溝１３８０ａ及び第１案内軸１３９０ｂ、図１０参照）をさらに備える、
ことを特徴としている。
この特徴によれば、引出位置において当該遊技用装置において対応する遊技機と反対側に遊技者側に突出して設けられる分煙ボードや表示装置などの突出物が邪魔になってメンテナンス部品のメンテナンス作業が困難またはできない場合でも、引出位置において引出部を引出位置から回動位置まで回動することで、メンテナンス部品を突出物から離すことができるため、メンテナンス部品のメンテナンス作業を容易に行うことができる。
【００１０】
本発明の請求項３に記載の遊技用装置は、
遊技機（例えば、パチンコ遊技機１）に対応して設けられ、吸引口（吸引口３２５）から吸引した空気を清浄化して送出口（送出口３１５）から送出する空気清浄ユニット（空気清浄ユニット３２０）を備える遊技用装置（例えば、ユーティリティーユニット２３００）であって、
本体部（本体枠３０１）と、
前記空気清浄ユニットを有し、前記本体部内に収納される収納位置（図２中実線位置参照）と該収納位置から引き出された引出位置（図２中１点鎖線位置参照）との間で、前記本体部に設けられた案内レール（案内レール３８０ａ〜３８０ｄ）により移動可能に設けられた引出部（引出部２３１０）と、
を備え、
前記引出部は、前面に前記送出口が設けられるとともに、対応する遊技機と反対側の側面（左側面）に前記吸引口及びメンテナンスが必要なメンテナンス部品（例えば、ブロア３２２、吸引口３２５、フィルタ３２６、イオン発生機３２４など）が設けられ、前記引出部が前記引出位置にあるときに前記吸引口及び前記メンテナンス部品が前記本体部の外部に臨むように構成され、
少なくとも前記メンテナンス部品は、前記引出部に対して前記対応する遊技機側に取り外し可能に設けられている（例えば、図１１参照）、
ことを特徴としている。
この特徴によれば、引出位置において当該遊技用装置において対応する遊技機と反対側に遊技者側に突出して設けられる分煙ボードや表示装置などの突出物が邪魔になってメンテナンス部品のメンテナンス作業が困難またはできない場合でも、引出位置において、メンテナンス部品を引出部に対して対応する遊技機側に取り外すことができ、これによりメンテナンス部品を突出物から離すことができるため、メンテナンス部品のメンテナンス作業を容易に行うことができる。
【００１１】
本発明の請求項４に記載の遊技用装置は、
遊技機（例えば、パチンコ遊技機１）に対応して設けられ、吸引口（吸引口３２５）から吸引した空気を清浄化して送出口（送出口３１５）から送出する空気清浄ユニット（空気清浄ユニット３２０）を備える遊技用装置（例えば、ユーティリティーユニット３３００）であって、
本体部（本体枠３０１）と、
前記空気清浄ユニットを有し、前記本体部内に収納される収納位置（図２中実線位置参照）と該収納位置から引き出された引出位置（図２中１点鎖線位置参照）との間で、前記本体部に設けられた案内レール（案内レール３８０ａ〜３８０ｄ）により移動可能に設けられた引出部（引出部３３１０）と、
を備え、
前記引出部は、前面に前記送出口が設けられるとともに、対応する遊技機と反対側の側面（左側面）に前記吸引口及びメンテナンスが必要なメンテナンス部品（例えば、ブロア３２２、吸引口３２５、フィルタ３２６、イオン発生機３２４など）が設けられ、前記引出部が前記引出位置にあるときに前記吸引口及び前記メンテナンス部品が前記本体部の外部に臨むように構成され、
少なくとも前記メンテナンス部品を、前記引出位置において前記案内レールに対し略平行をなす装着位置と前記案内レールに対し交差する方向を向くメンテナンス位置との間で回動可能に支持する部品用回動支持手段（回動軸３３１４、図１２参照）を備える、
ことを特徴としている。
この特徴によれば、引出位置において当該遊技用装置において対応する遊技機と反対側に遊技者側に突出して設けられる分煙ボードや表示装置などの突出物が邪魔になってメンテナンス部品のメンテナンス作業が困難またはできない場合でも、引出位置において、メンテナンス部品を装着位置からメンテナンス位置まで回動することで、メンテナンス部品を突出物から離すことができるため、メンテナンス部品のメンテナンス作業を容易に行うことができる。
【００１２】
本発明の手段１の遊技用装置は、請求項１に記載の遊技用装置であって、
前記解除操作部（解除操作片３５３ｅ）は、前記引出部（引出部３１０）の上面、下面、前記対応する遊技機側の側面（右側面）のうちいずれかに設けられている（例えば、図８（Ａ）参照）、
ことを特徴としている。
この特徴によれば、規制部材の解除操作を行うときに障害物が邪魔になることがないので、操作性が損なわれることがない。
【００１３】
本発明の手段２の遊技用装置は、請求項３に記載の遊技用装置であって、
前記引出部（引出部２３１０）は、前記案内レール（１３８０）に沿って設けられる阻害板（ベース板３１１及び開閉板２３１２）を備え、
前記メンテナンス部品（例えば、ブロア３２２、吸引口３２５、フィルタ３２６、イオン発生機３２４など）は、前記阻害板における前記対応する遊技機と反対側（左側面）に設けられ、
前記阻害板は、前記メンテナンス部品とともに前記引出部に対して前記対応する遊技機側に取り外し可能に設けられている（図１１参照）、
ことを特徴としている。
この特徴によれば、阻害板があることで、対応する遊技機側にある空気がその反対側にある吸引口に引き込まれることが好適に阻害される。
【００１４】
本発明の手段３の遊技用装置は、請求項４に記載の遊技用装置であって、
前記引出部（回動軸３３１４、図１２参照）は、前記案内レール（案内レール３８０ａ〜３８０ｄ）に沿って設けられる阻害板（開閉板３３１２）を備え、
前記メンテナンス部品は、前記阻害板における前記対応する遊技機と反対側に設けられ、
前記阻害板は、前記メンテナンス部品とともに前記部品用回動支持手段により装着位置とメンテナンス位置との間で回動可能に支持されている（図１２参照）、
ことを特徴としている。
この特徴によれば、阻害板があることで、対応する遊技機側にある熱をもった空気がその反対側にある吸引口に引き込まれることが好適に阻害される。
【００１５】
本発明の手段４の遊技用装置は、請求項１〜４、手段１〜３のいずれかに記載の遊技用装置であって、
前記空気清浄ユニット（空気清浄ユニット３２０）は、前記引出部（引出部３１０／１３１０／２３１０／３３１０）が前記収納位置及び前記引出位置のいずれにあるときでも駆動操作可能とされている（図９〜図１２参照）、
ことを特徴としている。
この特徴によれば、引出位置においても駆動することができるので、動作確認を容易に行うことができる。
【００１６】
本発明の手段５の遊技用装置は、請求項１〜４、手段１、手段４のいずれかに記載の遊技用装置であって、
前記規制部材（規制部材３５３）は、
前記案内レール（案内レール３８０ａ〜３８０ｄ）に対し交差する方向（左右方向）を向く回動軸（揺動軸３５４）を中心として、前記本体部（本体枠３０１）に設けられた被係止部（案内レール３８０ａの後端辺）に係止される規制位置（図８（Ａ）参照）と該被係止部に対する係止が解除される解除位置（図８（Ｂ）参照）との間で揺動可能に設けられるとともに、前記回動軸に対し所定の隙間を隔てて設けられ、該規制部材と前記回動軸との間に前記メンテナンス部品（例えば、ブロア３２２、吸引口３２５、フィルタ３２６、イオン発生機３２４など）から延出される配線（例えば、ケーブルＣ３など）を挿通可能とされ、
前記解除操作部の操作により前記規制位置から前記解除位置に移動することで、前記配線の所定箇所に当接して上方に押し上げる（例えば、図８（Ｂ）参照）、
ことを特徴としている。
この特徴によれば、規制部材の解除動作により配線が持ち上げられるため、引出位置から抜き出す際に案内レールに配線が引っかかりにくくなる。
【００１７】
本発明の手段６の遊技用装置は、
遊技機（例えば、パチンコ遊技機１）に対応して設けられ、吸引口（吸引口３２５）から吸引した空気を清浄化して送出口（送出口３１５）から送出する空気清浄ユニット（空気清浄ユニット３２０）を備える遊技用装置（例えば、ユーティリティーユニット３００）であって、
本体部（本体枠３０１）と、
前記本体部に設けられた電源部（電源ユニット３０４）と、
該電源部とケーブル（ケーブルＣ１〜Ｃ３）を介して接続され、前記空気清浄ユニットを有し、前記本体部内に収納される収納位置（図２中実線位置参照）と該収納位置から引き出された引出位置（図２中１点鎖線位置参照）との間で、前記本体部に設けられた案内レール（案内レール３８０ａ〜３８０ｄ）により移動可能に設けられた引出部（引出部３１０）と、
を備え、
前記引出部は、前面に前記送出口が設けられるとともに、対応する遊技機と反対側の側面（左側面）に前記吸引口及びメンテナンスが必要なメンテナンス部品（例えば、ブロア３２２、吸引口３２５、フィルタ３２６、イオン発生機３２４など）が設けられ、前記引出部が前記引出位置にあるときに前記吸引口及び前記メンテナンス部品が前記本体部の外部に臨むように構成され（図９参照）、
前記引出位置において前記引出部の前記案内レールからの抜脱を規制する規制状態と該規制状態が解除される非規制状態とに変化可能な規制部材（規制部材３５３）と、
前記規制部材を前記非規制状態から前記規制状態とする際に操作される解除操作部（解除操作片３５３ｅ）と、
をさらに備え、
前記引出部が前記引出位置にあるときに前記解除操作部を操作して前記規制部材を前記非規制状態から前記規制状態とすることで、前記引出部が前記ケーブルを介して接続された状態で前記案内レールから抜脱可能となる（図８及び図９参照）、
ことを特徴としている。
この特徴によれば、引出位置において当該遊技用装置において対応する遊技機と反対側に遊技者側に突出して設けられる分煙ボードや表示装置などの突出物が邪魔になってメンテナンス部品のメンテナンス作業が困難またはできない場合でも、解除操作部を操作して規制部材を非規制状態から規制状態とすることで、引出部を案内レールから抜脱できるようになり、これによりケーブルを外すことなくメンテナンス部品を突出物から離すことができるため、メンテナンス部品のメンテナンス作業を容易に行うことができるとともに、電源と接続されているので動作確認を行うことができる。
【００１８】
本発明の手段７の遊技用装置は、
遊技機（例えば、パチンコ遊技機１）に対応して設けられ、吸引口（吸引口３２５）から吸引した空気を清浄化して送出口（送出口３１５）から送出する空気清浄ユニット（空気清浄ユニット３２０）を備える遊技用装置（例えば、ユーティリティーユニット１３００）であって、
本体部（本体枠３０１）と、
前記本体部に設けられた電源部（電源ユニット３０４）と、
該電源部とケーブル（ケーブルＣ１〜Ｃ３）を介して接続され、前記空気清浄ユニットを有し、前記本体部内に収納される収納位置（図１０（Ｂ）参照）と該収納位置から引き出された引出位置（図１０（Ａ）（Ｃ）参照）との間で、前記本体部に設けられた案内レール（案内レール３８０ａ〜３８０ｄ）により移動可能に設けられた引出部（引出部１３１０）と、
を備え、
前記引出部は、前面に前記送出口が設けられるとともに、対応する遊技機と反対側の側面（左側面）に前記吸引口及びメンテナンスが必要なメンテナンス部品（例えば、ブロア３２２、吸引口３２５、フィルタ３２６、イオン発生機３２４など）が設けられ、前記引出部が前記引出位置にあるときに前記吸引口及び前記メンテナンス部品が前記本体部の外部に臨むように構成され、
前記引出部を、前記引出位置において、前記ケーブルを介して接続された状態で該引出位置と前記案内レールに対し交差する方向を向く回動位置との間で回動可能に支持する回動支持手段（第１案内溝１３８０ａ及び第１案内軸１３９０ｂ、図１０参照）をさらに備える、
ことを特徴としている。
この特徴によれば、引出位置において当該遊技用装置において対応する遊技機と反対側に遊技者側に突出して設けられる分煙ボードや表示装置などの突出物が邪魔になってメンテナンス部品のメンテナンス作業が困難またはできない場合でも、引出位置において引出部を引出位置から回動位置まで回動することで、ケーブルを外すことなくメンテナンス部品を突出物から離すことができるため、メンテナンス部品のメンテナンス作業を容易に行うことができるとともに、電源と接続されているので動作確認を行うことができる。
【００１９】
本発明の手段８の遊技用装置は、
遊技機（例えば、パチンコ遊技機１）に対応して設けられ、吸引口（吸引口３２５）から吸引した空気を清浄化して送出口（送出口３１５）から送出する空気清浄ユニット（空気清浄ユニット３２０）を備える遊技用装置（例えば、ユーティリティーユニット２３００）であって、
本体部（本体枠３０１）と、
前記本体部に設けられた電源部（電源ユニット３０４）と、
該電源部とケーブル（ケーブルＣ１〜Ｃ３）を介して接続され、前記空気清浄ユニットを有し、前記本体部内に収納される収納位置（図２中実線位置参照）と該収納位置から引き出された引出位置（図２中１点鎖線位置参照）との間で、前記本体部に設けられた案内レール（案内レール３８０ａ〜３８０ｄ）により移動可能に設けられた引出部（引出部２３１０）と、
を備え、
前記引出部は、前面に前記送出口が設けられるとともに、対応する遊技機と反対側の側面（左側面）に前記吸引口及びメンテナンスが必要なメンテナンス部品（例えば、ブロア３２２、吸引口３２５、フィルタ３２６、イオン発生機３２４など）が設けられ、前記引出部が前記引出位置にあるときに前記吸引口及び前記メンテナンス部品が前記本体部の外部に臨むように構成され、
少なくとも前記メンテナンス部品は、前記ケーブルを介して接続された状態で前記引出部に対して前記対応する遊技機側に取り外し可能に設けられている（例えば、図１１参照）、
ことを特徴としている。
この特徴によれば、引出位置において当該遊技用装置において対応する遊技機と反対側に遊技者側に突出して設けられる分煙ボードや表示装置などの突出物が邪魔になってメンテナンス部品のメンテナンス作業が困難またはできない場合でも、引出位置において、ケーブルを外すことなくメンテナンス部品を引出部に対して対応する遊技機側に取り外すことができ、これによりメンテナンス部品を突出物から離すことができるため、メンテナンス部品のメンテナンス作業を容易に行うことができるとともに、電源と接続されているので動作確認を行うことができる。
【００２０】
本発明の手段９の遊技用装置は、
遊技機（例えば、パチンコ遊技機１）に対応して設けられ、吸引口（吸引口３２５）から吸引した空気を清浄化して送出口（送出口３１５）から送出する空気清浄ユニット（空気清浄ユニット３２０）を備える遊技用装置（例えば、ユーティリティーユニット３３００）であって、
本体部（本体枠３０１）と、
前記本体部に設けられた電源部（電源ユニット３０４）と、
該電源部とケーブル（ケーブルＣ１〜Ｃ３）を介して接続され、前記空気清浄ユニットを有し、前記本体部内に収納される収納位置（図２中実線位置参照）と該収納位置から引き出された引出位置（図２中１点鎖線位置参照）との間で、前記本体部に設けられた案内レール（案内レール３８０ａ〜３８０ｄ）により移動可能に設けられた引出部（引出部３３１０）と、
を備え、
前記引出部は、前面に前記送出口が設けられるとともに、対応する遊技機と反対側の側面（左側面）に前記吸引口及びメンテナンスが必要なメンテナンス部品（例えば、ブロア３２２、吸引口３２５、フィルタ３２６、イオン発生機３２４など）が設けられ、前記引出部が前記引出位置にあるときに前記吸引口及び前記メンテナンス部品が前記本体部の外部に臨むように構成され、
少なくとも前記メンテナンス部品を、前記引出位置において前記ケーブルを介して接続された状態で前記案内レールに対し略平行をなす装着位置と前記案内レールに対し交差する方向を向くメンテナンス位置との間で回動可能に支持する部品用回動支持手段（回動軸３３１４、図１２参照）を備える、
ことを特徴としている。
この特徴によれば、引出位置において当該遊技用装置において対応する遊技機と反対側に遊技者側に突出して設けられる分煙ボードや表示装置などの突出物が邪魔になってメンテナンス部品のメンテナンス作業が困難またはできない場合でも、引出位置において、ケーブルを外すことなくメンテナンス部品を装着位置からメンテナンス位置まで回動することで、メンテナンス部品を突出物から離すことができるため、メンテナンス部品のメンテナンス作業を容易に行うことができるとともに、電源と接続されているので動作確認を行うことができる。
【図面の簡単な説明】
【００２１】
【図１】遊技機及び遊技用装置が設置された遊技機設置島の要部を示す正面図である。
【図２】遊技用装置の内部構造を示す断面図である。
【図３】（Ａ）は空気清浄ユニットを示す平面図、（Ｂ）は左側面図である。
【図４】案内レール構造を示す正面図である。
【図５】（Ａ）は引出部のレール構造を示す断面図、（Ｂ）は斜視図である。
【図６】ロックユニットを示す斜視図である。
【図７】（Ａ）は図５のロックユニットの平面図、（Ｂ）は左側面図、（Ｃ）は正面図である。
【図８】（Ａ）はロックユニットの規制状態、（Ｂ）は非規制状態を示す要部拡大図である。
【図９】空気清浄ユニットを抜き出した状態を示す斜視図である。
【図１０】（Ａ）は本発明の変形例１としてのユーティリティーユニットの引出部を示す斜視図、（Ｂ）は収納位置、（Ｃ）は収納位置の状態を示す概略図である。
【図１１】本発明の変形例２としてのユーティリティーユニットの引出部を示す斜視図である。
【図１２】本発明の変形例３としてのユーティリティーユニットの引出部を示す斜視図である。
【発明を実施するための形態】
【００２２】
本発明に係る遊技用装置を実施するための形態を実施例に基づいて以下に説明する。
【実施例】
【００２３】
まず、本発明の実施例としての遊技用装置について、図１〜図８に基づいて説明する。図１は、遊技機及び遊技用装置が設置された遊技機設置島の要部を示す正面図である。図２は、遊技用装置の内部構造を示す断面図である。図３は、（Ａ）は空気清浄ユニットを示す平面図、（Ｂ）は左側面図である。図４は、案内レール構造を示す正面図である。図５は、（Ａ）は引出部のレール構造を示す断面図、（Ｂ）は斜視図である。図６は、ロックユニットを示す斜視図である。図７は、（Ａ）は図５のロックユニットの平面図、（Ｂ）は左側面図、（Ｃ）は正面図である。図８は、（Ａ）はロックユニットの規制状態、（Ｂ）は非規制状態を示す要部拡大図である。図９は、空気清浄ユニットを抜き出した状態を示す斜視図である。尚、以下の説明においては、説明の便宜上、図１の手前を正面として上下左右方向を説明する。
【００２４】
図１に示すように、遊技店に設置される遊技機設置島１００の前後面には、例えば、遊技機の一例であるパチンコ遊技機１が長手方向に向けて複数並設されているとともに、パチンコ遊技機１と該パチンコ遊技機１に隣り合うパチンコ遊技機との間には、遊技用装置の一例である後述する空気清浄ユニット３２０を備えるユーティリティーユニット３００やカードユニット４００などが配設されているとともに、透明なアクリルボード等からなる分煙ボード６００が、正面側に突出して各パチンコ遊技機１の前方スペースを仕切るように配設されている（図８など参照）。
【００２５】
パチンコ遊技機１は、遊技盤面を構成する遊技盤（ゲージ盤）２と、遊技盤２を支持固定する遊技機用枠（台枠）３とから構成されている。遊技盤２には、ガイドレールによって囲まれた略円形状の遊技領域が形成されており、所定の打球発射装置から発射された遊技媒体としての遊技球がこの遊技領域に打ち込まれることで遊技が行われるようになっている。
【００２６】
カードユニット４００は、パチンコ遊技機１の左側に隣接して配置され、遊技者が紙幣を挿入する紙幣挿入口４０１と、遊技者がプリペイドカード（図示略）を挿入するカード挿入口４０２と、該カード挿入口４０２に挿入されたプリペイドカードから読み出された度数や各種情報が表示される情報表示部４０３と、が設けられている。パチンコ遊技機１には、情報表示部４０３に度数が存在する場合に遊技者に押圧操作されることで、所定数量のパチンコ球の貸出をパチンコ遊技機１に実施させる貸出スイッチ（図示略）と、遊技の終了時にてカードユニット４００に受付中のプリペイドカードを返却させるための返却スイッチ（図示略）とが設けられている。
【００２７】
図２に示すように、ユーティリティーユニット３００は、遊技機設置島１００に設置固定される本体部を構成する縦長帯状の本体枠３０１と、本体枠３０１の上部に形成された引出口３０２を介して、本体枠３０１の内部に収納される収納位置（図２中実線位置参照）と該収納位置から引き出された引出位置（図２中１点鎖線位置参照）との間で、本体枠３０１に設けられた案内レール３８０ａ〜３８０ｄ（図４参照）により前後方向に移動可能に設けられた引出部３１０と、本体枠３０１の下部に凹設されたブックホルダ３０３と、引出部３１０に組付けられた空気清浄ユニット３２０に電源を供給する電源ユニット３０４と、から主に構成され、本実施例では、カードユニット４００の左隣りに配設されている。
【００２８】
ブックホルダ３０３は、前面が開口する箱状に形成され、対応するパチンコ遊技機１に関する遊技情報や遊技店に関する情報等が掲載された冊子等を収納可能としている。尚、本実施例では、ユーティリティーユニット３００の本体部は本体枠３０１のみにて構成されていたが、前面が開口する箱体と前面パネルとにより構成されていてもよい。
【００２９】
図３〜図５に示すように、引出部３１０は、前後方向に向けて立設される側面視横長長方形状をなす金属製のベース板３１１と、ベース板３１１の前端辺に取り付けられ引出口３０２を開閉可能な開閉パネル３１２と、ベース板３１１の左側面に組付けられる空気清浄ユニット３２０と、ベース板３１１の後部に組付けられるロックユニット３５０と、から主に構成されている。
【００３０】
ベース板３１１は、空気清浄ユニット３２０が組付けられる基部３１１ａと、基部３１１ａの上端からクランク部を介して上方に延設される上板部３１１ｂと、基部３１１ａの下辺から左側に向けて略水平に屈曲される下板部３１１ｃと、から構成される。
【００３１】
上板部３１１ｂの上辺後部には、右側に向けて略水平に屈曲される屈曲片３１１ｄが形成されている。下板部３１１ｃには、前後方向に延びる開口の左右側縁から下方に向けて垂下される互いに平行な一対のガイド片３１１ｅ，３１１ｅが前後方向に向けて形成されている。
【００３２】
案内レール３８０ａ，３８０ｂは、引出口３０２の上部左右側から後方に向けて延設され、左側の案内レール３８０ａは、右側の案内レール３８０ｂよりも短寸に形成されている。案内レール３８０ａ，３８０ｂは、所定の隙間を隔てて互いに対向する縦向きの案内面３８１ａ，３８１ｂを有し、これら案内面３８１ａ，３８１ｂ間に上板部３１１ｂが挿入され該上板部３１１ｂを前後方向に案内するように形成されている。
【００３３】
案内レール３８０ｃ，３８０ｄは、引出口３０２の下部左右側から後方に向けて延設され、前後方向に延びる水平な案内面３８２ａ，３８２ｂをそれぞれ有し、これら案内面３８２ａ，３８２ｂ上に下板部３１１ｃの左右縁部が載置され、かつ、互いの案内面３８２ａ，３８２ｂ間にガイド片３１１ｅ，３１１ｅが入り込むことで、下板部３１１ｃの左右移動が規制され前後方向に案内される。
【００３４】
また、案内レール３８０ｄの下前部からは、係止フック３１３が係止される正面視逆Ｌ字形の係止片３８５が形成されており、引出部３１０が収納位置に位置したときに係止フック３１３が係止片３８５の後端に係止され、引出位置への移動が規制されるようになっている。尚、係止フック３１３は、開閉パネル３１２の下部に設けられた解除フック３１４を押し上げることで係止片３８５への係止状態を解除して収納位置から引出しできるようになっている。
【００３５】
開閉パネル３１２は、収納位置において引出口３０２を閉鎖可能な大きさを有し、前面下部には縦長帯状の送出口３１５が形成されている。また、送出口３１５の上方位置には、空気清浄ユニット３２０の電源スイッチ３１６が設けられている。
【００３６】
図３に示すように、空気清浄ユニット３２０は、ベース板３１１の基部３１１ａの左側面に配置される箱状に形成された筐体３２１を備えており、この筺体３２１内には、送風機としてのブロア３２２と、このブロア３２２から前方に向けて延設され送出口３１５に連通するエアダクト３２３と、ブロア３２２の前側に隣接して配置されるイオン発生機３２４が収容されている。
【００３７】
ブロア３２２は、左側面に吸引口（図示略）を有するとともにエアダクト３２３の先端に送出口３１５を有している。筐体３２１の左側面におけるブロア３２２に対応する箇所には、複数の縦長スリットからなる吸引口（図示略）が形成されているとともに、その吸引口の外面には、フィルタ３２６を上方から装着可能とするポケット部３２７が形成されている。ポケット部３２７は、空気が挿通可能となるように格子状に形成され、複数の縦長スリットからなる吸引口３２５が形成されている。
【００３８】
また、筐体３２１の左側面におけるポケット部３２７の前側には、イオン発生器３２４及びエアダクト３２３の一部を開放する開口（図示略）が形成されており、該開口の左側辺を中心として回動可能に設けられた開閉扉３２８により閉鎖可能とされている。
【００３９】
このような構成において、ブロア３２２を作動させると、吸引口３２５からブロア３２２内に空気が吸入され、エアダクト３２３内に空気が吐出される。また、エアダクト３２３内は２つの通路に分割されており（図示略）、それぞれの通路に吐出された空気にマイナスイオン及びプラスイオンが別個に放出され、これにより空気は浄化された後に送出口３１５から送出されるようになっている。
【００４０】
尚、本実施例の空気清浄ユニット３２０は、イオン発生器３２４を有していたが、空気を清浄化しうるものであれば、必ずしもイオン発生器３２４を備えていなくてもよい。
【００４１】
これらブロア３２２、フィルタ３２６、イオン発生器３２４を有する空気清浄ユニット３２０は、ベース板３１１の左側面に配設されている。つまり、本実施例では、ユーティリティーユニット３００は、対応するパチンコ遊技機１の左側に配設されていることで、空気清浄ユニット３２０は、阻害板としてのベース板３１１を挟んで対応するパチンコ遊技機１と反対側（左側）に、吸引口３２５が左側に臨むように配設されている。
【００４２】
よって、対応するパチンコ遊技機１から放出された熱を吸引しにくくなるので、送出口３１５から送出される空気が熱くなることが防止される。また、ブロア３２２、フィルタ３２６、イオン発生機３２４など、清掃や点検等のメンテナンス作業が必要となるメンテナンス部品は、ベース板３１１を挟んで対応するパチンコ遊技機１と反対側（左側）に配設されている。
【００４３】
また、筐体３２１の上面におけるイオン発生機３２４の上方位置からは、電源ユニット３０４に接続される電源ケーブルや電源スイッチ３１６に接続されるケーブルＣ１が延出されている。
【００４４】
図３に示すように、空気清浄ユニット３２０の後方には、ネジ孔３６５が、上下の固定ネジ３５１によりベース板３１１の後部に固定されている。また、ベース板３１１の左側面におけるネジ孔３６５の上方には、ケーブルを支持するケーブル支持片３６０が突設されている。
【００４５】
図６及び図７に示すように、ロックユニット３５０は、ベース板３１１の後部に固定される上下方向に延びる固定部材３５２と、該固定部材３５２の上部に設けられた左右方向を向く揺動軸３５４を中心として揺動可能に設けられる規制部材３５３と、から主に構成されている。尚、これら固定部材３５２及び規制部材３５３は金属板にて構成されている。
【００４６】
固定部材３５２の上部及び下部には、固定ネジ３５１が取り付けられる取付孔３５５が形成されているとともに、固定部材３５２の左側面におけるこれら取付孔３５５の周縁には、所定厚みのボス３５６が形成されている。取付孔３５５に取り付けられた固定ネジ３５１は、基部３１１ａの後部に形成されたネジ孔３６５（図５参照）に螺入されるようになっている。
【００４７】
従来、このネジ孔３６５は、引出部３１０の引出位置からの逸脱を規制するための規制ネジ（図示略）を、基部３１１ａの左側から挿通して右側面に突出させるために使用されていた。詳しくは、基部３１１ａの右側面から規制ネジを突出させ、引出位置において引出口３０２の近傍所定の被係止部（図示略）に係止されるようにすることで、引出位置において案内レール３８０ａ〜３８０ｄからの逸脱が規制されるようにしていた。
【００４８】
しかし、本実施例では、引出部３１０の引出位置における案内レール３８０ａ〜３８０ｄからの逸脱を規制する規制部材３５３を有するロックユニット３５０を基部３１１ａに固定するための固定ネジ３５１の取付孔３５５として利用するため、この取付孔３５５を挿通して固定ネジ３５１を大きく突出させる必要はないので邪魔になる。よって、ボス３５６により取付孔３５５の深さを左側に増大することで、取付孔３５５を挿通して固定ネジ３５１が基部３１１ａの右側面から大きく突出することを防止できる。
【００４９】
固定部材３５２の上下方向の略中央前側には、左側に屈曲する支持片３５７が略水平に形成されている。また、支持片３５７の上方位置には、左側に屈曲する規制片３５８が略水平に形成されている。また、固定部材３５２の左側面上部には、揺動軸３５４が突設されている。
【００５０】
規制部材３５３は、前後方向を向く水平なベース部３５３ａと、ベース部３５３ａの左右後縁部から上方に向けて屈曲され、揺動軸３５４を軸支する軸支片３５３ｂ，３５３ｃと、ベース部３５３ａの後縁から下方に垂下される垂下片３５３ｄと、ベース部３５３ａの前端左側から上方に向けて延設された後、前側に向けて略水平に屈曲する解除操作片３５３ｅと、が形成されている。
【００５１】
垂下片３５３ｄと支持片３５７とは、引張バネ３５９を介して連結されており、規制部材３５３は、左側面視で揺動軸３５４を介して反時計回り方向に付勢されている。このように引張バネ３５９を介して付勢された規制部材３５３は、ベース部３５２ａが略水平姿勢となった状態で規制片３５８に当接することにより揺動が規制されるようになっている。
【００５２】
このようにロックユニット３５０は、規制部材３５３のベース部３５３ａが略水平姿勢となり規制片３５８に当接され、軸支片３５３ｂの前端辺である規制辺３５３ｆが垂直に起立する規制位置となる規制状態と、規制状態において解除操作片３５３ｅを下方に押圧操作することにより規制部材３５３を揺動軸３５４を中心に揺動させて、規制辺３５３ｆの下端が後方に傾倒する解除位置となる規制解除状態と、に変化可能に構成されている。
【００５３】
また、揺動軸３５４は、ベース部３５３ａに対して所定の隙間を隔てて上方位置に配設されているとともに、図７（Ｃ）の正面視において、解除操作片３５３ｅは、ベース部３５３ａの左側、つまり、揺動軸３５４に対して左側方にずれた位置に形成されている。よって、ベース部３５３ａと揺動軸３５４との間には、ケーブルＣ１，２が収束されたケーブルＣ３が挿通可能な空間部が形成されている。
【００５４】
このように構成されたロックユニット３５０は、ベース板３１１の後部に固定ネジ３５１を介して固定される。固定された状態において、ベース部３５３ａの上方で軸支片３５３ｂ，３５３ｃの前位置に、基部３１１ａの左側面後部から屈曲形成されたケーブル支持片３６０が配置される。ケーブル支持片３６０は、ケーブルＣ１，２の配線側コネクタＣＮ１を支持するとともに、該ケーブル支持片３６０に形成された接続開口３６０ａ（図５参照）を介して配線側コネクタＣＮ１の接続口が後面側に臨むように配線側コネクタＣＮ１を支持する。この配線側コネクタＣＮ１には、後側からケーブルＣ３の配線側コネクタＣＮ２が接続される。
【００５５】
次に、空気清浄ユニット３２０のメンテナンス作業状況の一例を、図９に基づいて説明する。
【００５６】
空気清浄ユニット３２０のメンテナンス作業を行う場合、まず、解除フック３１４を上方に押圧して係止フック３１３による係止状態を解除したまま、開閉パネル３１２を把持して引出部３１０を手前側に引き出す。
【００５７】
図９（Ａ）に示すように、引出部３１０が収納位置から引出位置まで引き出された状態において、空気清浄ユニット３２０の左側面が、ユーティリティーユニット３００の左側に隣接配置された分煙ボード６００の右側面に近接した状態で対向配置される。つまり、引出部３１０が案内レール３８０ａ〜３８０ｄに支持されている状態では、収納位置から引出位置まで引き出される間、ブロア３２２、吸引口３２５、フィルタ３２６、イオン発生機３２４などが分煙ボード６００の右側面に近接しているため、ポケット部３２７からフィルタ３２６を取り出したり、開閉扉３２８を開放してイオン発生機３２４を取り出すことが困難となる。ここで、引出口３０２の上部に露呈している解除操作片３５３ｅを押圧操作して、引出部３１０を案内レール３８０ａ〜３８０ｄから抜き出す。
【００５８】
図８（Ａ）に示すように、引出位置においては、規制部材３５３が起立位置にあることで軸支片３５３ｂの規制辺３５３ｆが起立しているため、この規制辺３５３ｆが案内レール３８０ａの後端辺に当接されることで、引出部３１０の前方への移動が規制され、案内レール３８０ａ〜３８０ｄからの抜脱が規制されるようになっている。また、解除操作片３５３ｅは、引出口３０２の上部に前面側から操作可能に配置される。
【００５９】
図８（Ｂ）に示すように、引出位置において解除操作片３５３ｅを下方に押圧操作すると、規制部材３５３は揺動軸３５４を中心として揺動する。これにより、軸支片３５３ｂの規制辺３５３ｆの下端が後側に傾倒することで、規制辺３５３ｆが案内レール３８０ａよりも下方に位置して案内レール３８０ａによる規制辺３５３ｆの規制が解除され、軸支片３５３ｂが案内レール３８０ａの下方を通過可能となる。こうして、引出部３１０が案内レール３８０ａ〜３８０ｄから抜脱される。
【００６０】
図９（Ｂ）に示すように、引出部３１０を案内レール３８０ａ〜３８０ｄから抜脱した状態において、ケーブルＣ３は、配線側コネクタＣＮ２を介してケーブルＣ１，Ｃ２の配線側コネクタＣＮ１に接続されたまま引き出される。つまり、ケーブルＣ３は引出部３１０を本体枠３０１の外部に引き出すのに必要な余剰長さを有しているため、引出部３１０を案内レール３８０ａ〜３８０ｄから抜脱する際に配線側コネクタＣＮ１，２の接続を解除することなく、そのままケーブルＣ３を引き出すことができる。
【００６１】
また、ケーブルＣ３は、引出部３１０のベース板３１１の上部に形成されたケーブル支持片３６０により支持された配線側コネクタＣＮ１に接続されているので、引出や収納の際にケーブルＣ３が暴れて引出部３１０の引出しに悪影響を及ぼすことが防止されている。
【００６２】
また、図８に示すように、ケーブルＣ３は、下方に配置された電源ユニット３０４に接続されている。よって、配線側コネクタＣＮ２から規制部材３５３の揺動軸３５４とベース部３５３ａとの間を挿通して後方に延出されたケーブルＣ３は、下方に向けて緩やかに湾曲するように垂れ下がる。ここで、図８（Ｂ）に示すように、ケーブルＣ３は、下方の案内レール３８０ｃ，３８０ｄから上方に離れた引出部３１０の上部において配線側コネクタＣＮ１に接続されているとともに、解除操作片３５３ｅを操作したときに、ベース部３５３ａの後端によりケーブルＣ３が下方から上方に向けて押し上げられるため、引出しの際にケーブルＣ３が垂れ下がり下方の案内レール３８０ｃ，３８０ｄなどに引っかかるまたは案内レール３８０ａ〜３８０ｄの潤滑油等で汚れることが防止される。
【００６３】
図９（Ｂ）に示すように、引出部３１０を案内レール３８０ａ〜３８０ｄから抜脱することで、引出部３１０を分煙ボード６００から引き離すことができ、また、引出部３１０の左側面が手前側に見えるように該引出部３１０の姿勢を変更することができるため、ブロア３２２、吸引口３２５、フィルタ３２６、イオン発生機３２４など、清掃や点検、交換作業が必要なメンテナンス部品のメンテナンス作業等を、分煙ボード６００から離れた位置で容易に行うことができる。
【００６４】
以上説明したように、本発明の実施例としてのユーティリティーユニット３００にあっては、引出位置において遊技用装置である当該ユーティリティーユニット３００において対応するパチンコ遊技機１と反対側にある障害物である分煙ボード６００が邪魔になってメンテナンス部品であるブロア３２２、吸引口３２５、フィルタ３２６、イオン発生機３２４などのメンテナンス作業が困難またはできない場合でも、解除操作片３５３ｅを操作して規制部材３５３を非規制状態から規制状態とすることで、引出部３１０を案内レール３８０ａ〜３８０ｄから抜脱できるようになり、これにより上記メンテナンス部品を分煙ボード６００から離すことができるため、上記メンテナンス部品のメンテナンス作業を容易に行うことができる。
【００６５】
また、解除操作片３５３ｅは、引出部３１０の後部上面に設けられていることで、規制部材３５３の解除操作を行うときに障害物である分煙ボード６００が邪魔になることがないので、操作性が損なわれることがない。
【００６６】
尚、本実施例では、解除操作片３５３ｅは引出部３１０の後部上面に臨むように設けられていたが、分煙ボード６００等に対向する対向部以外であればどこでもよく、例えば、引出部３１０の下面や、対応する遊技機側の側面（右側面）のうちいずれに設けられていてもよい。また、少なくとも引出位置において、引出口３０２よりも外部に臨むことが好ましい。
【００６７】
また、本実施例では、メンテナンス部品の一例として、ブロア３２２、吸引口３２５、フィルタ３２６、イオン発生機３２４を記載したが、メンテナンスが必要となる部品であれば、上記以外の部品を含む。
【００６８】
また、本実施例では、パチンコ遊技機１と反対側に配設される障害物の一例として分煙ボード６００を記載しているが、パチンコ遊技機１に対応して設けられるものであれば、例えば、テレビや遊技情報を表示可能な表示装置や、遊技機設置島の島端に設けられる構造板（所謂妻板）などの種々の部材を含む。
【００６９】
また、本実施例では、カードユニット４００やユーティリティーユニット３００や分煙ボード６００は対応する遊技機の左側に設けられていたが、右側に設けられていてもよい。また、これら遊技用装置としてのカードユニット４００やユーティリティーユニット３００や分煙ボード６００等は、隣接する２台の遊技機に対応して１つずつ設けられているものであってもよい。
【００７０】
次に、本発明の変形例としてのユーティリティーユニット３００について、図１０〜図１２に基づいて説明する。図１０は、（Ａ）は本発明の変形例１としてのユーティリティーユニットの引出部を示す斜視図、（Ｂ）は収納位置、（Ｃ）は収納位置の状態を示す概略図である。図１１は、本発明の変形例２としてのユーティリティーユニットの引出部を示す斜視図である。図１２は、本発明の変形例３としてのユーティリティーユニットの引出部を示す斜視図である。尚、以下の説明において前記実施例と同様の構成部位に関しては同一の符号を付すことで説明を省略する。
【００７１】
図１０に示すように、変形例１のユーティリティーユニット１３００では、引出部１３１０は、上下一対の案内レール１３８０により前後方向に移動案内されている。案内レール１３８０は、前端のみが開放する第１案内溝１３８０ａと、第１案内溝１３８０ａと並設され前後端が開放しない第２案内溝１３８０ｂとを有している。
【００７２】
引出部３１０の上下面には、第１案内溝１３８０ａに挿入可能な前後一対の第１案内軸１３９０ａ，１３９０ｂと、第２案内溝１３８０ｂに挿入可能な第２案内軸１３９１とが突設されている。引出部３１０は、これら第１案内軸１３９０ａ，１３９０ｂ及び第２案内軸１３９１を介して案内レール１３８０により案内されている。
【００７３】
具体的には、収納位置においては、第１案内溝１３８０ａに前後の第１案内軸１３９０ａ，１３９０ｂが挿入され、第２案内溝１３８０ｂに第２案内軸１３９１が挿入されている（図１０（Ｂ）参照）。
【００７４】
引出位置まで引き出したとき、第１案内溝１３８０ａから第１案内軸１３９０ａ，１３９０ｂがそれぞれ逸脱し、第２案内溝１３８０ｂの前端に第２案内軸１３９１が当接することで、引出部３１０は、第２案内軸１３９１を中心として左右方向に回動可能となる（図１０（Ａ）（Ｃ）参照）。
【００７５】
すなわち、第１案内溝１３８０ａ及び第１案内軸１３９０ａ，１３９０ｂと、第２案内溝１３８０ｂ及び第２案内軸１３９１とは、引出部３１０を、引出位置において、該引出位置と案内レール１３８０に対し交差（直交）する方向を向く回動位置との間で回動可能に支持する回動支持手段を構成している。
【００７６】
このような場合でも、引出位置において遊技用装置である当該ユーティリティーユニット３００において対応するパチンコ遊技機１と反対側にある障害物である分煙ボード６００が邪魔になってメンテナンス部品であるブロア３２２、吸引口３２５、フィルタ３２６、イオン発生機３２４などのメンテナンス作業が困難またはできない場合でも、引出位置において引出部３１０を回動位置まで回動することで、引出部１３１０の左側面が前方を向き、これにより上記メンテナンス部品を分煙ボード６００から離すことができるため、上記メンテナンス部品のメンテナンス作業を容易に行うことができる。
【００７７】
図１１に示すように、変形例２のユーティリティーユニット２３００では、引出部２３１０におけるベース板３１１には、空気清浄ユニット３２０を挿通可能な大きさを有する開口２３１１が形成されているとともに、この開口２３１１を閉鎖可能な開閉板２３１２が、ベース板３１１の右側方から複数のネジ２３１３により取付け、取り外し可能とされている。開閉板２３１２の左側面には、空気清浄ユニット３２０が固設されていることで、開閉板２３１２により開口２３１１を閉鎖したときに、空気清浄ユニット３２０がベース板３１１の左側に配設されるようになっている。
【００７８】
このように、本変形例２の引出位置にユーティリティーユニット２３００では、対応するパチンコ遊技機１と反対側にある障害物である分煙ボード６００が邪魔になってメンテナンス部品であるブロア３２２、吸引口３２５、フィルタ３２６、イオン発生機３２４などのメンテナンス作業が困難またはできない場合でも、引出位置においてメンテナンス部品を引出部２３１０に対して対応するパチンコ遊技機１側（右側）に取り外すことができ、これにより上記メンテナンス部品を分煙ボード６００から離すことができるため、上記メンテナンス部品のメンテナンス作業を容易に行うことができる。
【００７９】
また、引出部２３１０は、案内レール１３８０に沿って設けられる阻害板としてのベース板３１１及び開閉板２３１２を備え、例えば、ブロア３２２、吸引口３２５、フィルタ３２６、イオン発生機３２４などは、ベース板３１１及び開閉板２３１２における前記対応するパチンコ遊技機１と反対側（左側面）に設けられ、開閉板２３１２は、メンテナンス部品とともに引出部３１０に対して対応するパチンコ遊技機１側に取り外し可能に設けられていることで、開閉板２３１２があることで、対応するパチンコ遊技機１側にある空気がその反対側にある吸引口３２５に引き込まれることが好適に阻害される。
【００８０】
図１２に示すように、変形例３のユーティリティーユニット３３００では、引出部３３１０におけるベース板３１１には、空気清浄ユニット３２０を挿通可能な大きさを有する開口３３１１が形成されているとともに、この開口３３１１を閉鎖可能な開閉板３３１２が、開口３３１１の後縁辺に設けられた上下方向を向く回動軸３３１４を介して、開口３３１１を閉鎖する装着位置と開口３３１１を開放するメンテナンス位置との間で回動可能に設けられている。装着位置において、ベース板３１１の右側方からネジ３３１３により取付け可能とされている。開閉板２３１２の左側面には、空気清浄ユニット３２０が固設されていることで、開閉板２３１２により開口２３１１を閉鎖したときに、空気清浄ユニット３２０がベース板３１１の左側に配設されるようになっている。
【００８１】
このように、引出位置において遊技用装置である当該ユーティリティーユニット３３００において対応するパチンコ遊技機１と反対側にある障害物である分煙ボード６００が邪魔になってメンテナンス部品であるブロア３２２、吸引口３２５、フィルタ３２６、イオン発生機３２４などのメンテナンス作業が困難またはできない場合でも、引出位置において、メンテナンス部品を装着位置からメンテナンス位置まで回動することで、引出部３１０を案内レール３８０ａ〜３８０ｄから抜脱できるようになり、これにより上記メンテナンス部品を分煙ボード６００から離すことができるため、上記メンテナンス部品のメンテナンス作業を容易に行うことができる。
【００８２】
すなわち、メンテナンス部品を有する空気清浄ユニット３２０を、引出位置において案内レール３８０ａ〜３８０ｄに対し略平行をなす装着位置と案内レールに対し交差（略直交）する方向を向くメンテナンス位置との間で回動可能に支持する部品用回動支持手段を構成している。
【００８３】
また、空気清浄ユニット３２０は、引出部３１０が収納位置及び引出位置のいずれにあるときでも、ケーブルＣ３を介してブロアやイオン発生器に接続されているため、駆動操作可能とされている。よって、引出位置においても駆動することができるので、動作確認を容易に行うことができる。
【００８４】
以上、本発明の実施例を図面により説明してきたが、具体的な構成はこれら実施例に限られるものではなく、本発明の要旨を逸脱しない範囲における変更や追加があっても本発明に含まれる。
【００８５】
例えば、前記実施例では、遊技機の一例としてパチンコ遊技機が適用されていたが、例えば、予め定められた球数の遊技球が遊技機内部に循環可能に内封され、遊技者による貸出要求に応じて貸し出された貸出球や、入賞に応じて付与された賞球数が加算される一方、遊技に使用された遊技球数が減算されて記憶される、所謂、封入式遊技機にも本発明を適用可能である。
【００８６】
また、前記実施例では、遊技機の一例としてパチンコ遊技機が適用されていたが、例えば遊技用価値を用いて１ゲームに対して所定数の賭数を設定することによりゲームが開始可能となるとともに、各々が識別可能な複数種類の図柄を変動表示可能な可変表示装置に表示結果が導出されることにより１ゲームが終了し、該可変表示装置に導出された表示結果に応じて入賞が発生可能とされたスロットマシンにも適用可能である。
【符号の説明】
【００８７】
１    パチンコ遊技機
１００    遊技機設置島
３００    ユーティリティーユニット
３１０    引出部
３１１    ベース板
３１５    送出口
３２０    空気清浄ユニット
３２２    ブロア
３２４    イオン発生機
３２５    吸引口
３２６    フィルタ
３２８    開閉扉
３５０    ロックユニット
３５２    固定部材
３５３    規制部材
３５３ｂ，３５３ｃ    軸支片
３５３ｅ    解除操作片
３５３ｆ    規制辺
３５４    揺動軸
３８０ａ〜３８０ｄ  案内レール
【図１】
2014073256.tif 000003
【図２】
2014073256.tif 000004
【図３】
2014073256.tif 000005
【図４】
2014073256.tif 000006
【図５】
2014073256.tif 000007
【図６】
2014073256.tif 000008
【図７】
2014073256.tif 000009
【図８】
2014073256.tif 000010
【図９】
2014073256.tif 000011
【図１０】
2014073256.tif 000012
【図１１】
2014073256.tif 000013
【図１２】
2014073256.tif 000014